(57)【要約】【課題】機種が異なる複数の装置を制御可能な共通制御プログラムの対応機種が変化した場合でも、共通プログラムの更新を不要にすることを可能にする。【解決手段】受付部４２は、共通制御プログラム５１により制御可能な機種の一覧情報である機種情報ファイル５２の取得指示を受け付ける。受付部４２によりカスタマイズされた機種情報ファイル５２の取得指示が受け付けられた場合、表示制御部４４は、ユーザの識別情報であるユーザＩＤとパスワードを入力するための入力画面を表示部３４に表示するように制御する。機種情報管理部４３は、ユーザＩＤとパスワードが入力された識別情報に対応した機種設定情報５３を用いて生成された機種情報ファイル５２を取得する。【選択図】図３
2020144571.tif 000002
【特許請求の範囲】
【請求項１】
共通制御プログラムにより制御可能な機種の一覧情報である機種情報ファイルの取得指示を受け付ける受付手段と、
前記受付手段により機種情報ファイルの取得指示が受け付けられた場合、自装置の識別情報を入力する入力手段と、
前記入力手段により入力された識別情報に対応した機種情報ファイルを外部の管理装置から取得する取得手段と、
を備えた情報処理装置。
【請求項２】
共通制御プログラムにおいて利用者に表示する機種一覧リストに含めるか否かの機種毎の選択を受け付ける受付手段と、
前記受付手段により機種一覧リストに含める選択がされた機種が含まれた機種設定情報を利用者の識別情報毎に格納する格納手段と、
前記格納手段に格納された機種設定情報を用いて機種情報ファイルを生成する生成手段と、
を備えた管理装置。
【請求項３】
機種一覧リストに含めるか否かの機種毎の選択画面を表示するよう制御する表示制御手段をさらに備える請求項２記載の管理装置。
【請求項４】
前記表示制御手段は、前記受付手段により機種一覧リストに含めるか否かの機種毎の選択を受け付ける前は、保守期限切れの機種を機種一覧リストに含めない選択がされるよう選択画面の表示を制御する請求項３記載の管理装置。
【請求項５】
前記表示制御手段は、前記受付手段により機種一覧リストに含めるか否かの機種毎の選択を受け付ける前は、新規に追加された機種を機種一覧リストに含める選択がされるよう選択画面の表示を制御する請求項３記載の管理装置。
【請求項６】
共通制御プログラムにおいて利用者に表示する機種一覧リストに含めるか否かの機種毎の選択を受け付ける第１の受付手段と、前記第１の受付手段により機種一覧リストに含める選択がされた機種が含まれた機種情報ファイルを生成する生成手段と、前記生成手段により生成された機種情報ファイルを、利用者の識別情報毎に格納する格納手段と、を備えた管理装置と、
機種情報ファイルの取得指示を受け付ける第２の受付手段と、前記第２の受付手段により機種情報ファイルの取得指示が受け付けられた場合、自装置の識別情報を入力する入力手段と、前記入力手段により入力された識別情報に対応した機種情報ファイルを前記管理装置から取得する取得手段と、を備えた情報処理装置と、
を備えた情報処理システム。
【請求項７】
共通制御プログラムにより制御可能な機種の一覧情報である機種情報ファイルの取得指示を受け付ける受付ステップと、
前記受付ステップにより機種情報ファイルの取得指示が受け付けられた場合、自装置の識別情報を入力する入力ステップと、
前記入力ステップにより入力された識別情報に対応した機種情報ファイルを外部の管理装置から取得する取得ステップと、
を有するコンピュータに実行させるためのプログラム。
【発明の詳細な説明】
【技術分野】
【０００１】
本発明は、情報処理装置、管理装置、情報処理システム及びプログラムに関する。
【背景技術】
【０００２】
特許文献１には、コンピュータシステムを構成する装置で保守が必要な場合、コンピュータシステムのユーザ又は保守員は、コンピュータシステムに設けられている所定の保守用キースイッチの操作を行うステップと、保守用キースイッチの操作によりコンピュータシステムは、電子化された保守支援情報をデータベースに記憶保持する保守情報提供サーバにネットワークを介してアクセスし、装置を識別する情報と状態情報を、ネットワークを介して、保守情報提供サーバに自動送信するステップと、保守情報提供サーバでは、コンピュータシステムから送信された情報に基づき、データベースから装置の保守支援情報を検索し、検索された保守支援情報をネットワークを介してコンピュータシステムに送信するステップと、コンピュータシステムでは、保守情報提供サーバから送信された保守支援情報を受信し、装置の不具合原因、保守の仕方を出力装置に出力するステップと、を含むことを特徴とするリモート保守支援方法が開示されている。
【先行技術文献】
【特許文献】
【０００３】
【特許文献１】特開２００２−１８３４３４号公報
【発明の概要】
【発明が解決しようとする課題】
【０００４】
本発明の目的は、機種が異なる複数の装置を制御可能な共通制御プログラムの対応機種が変化した場合でも、共通プログラムの更新を不要にすることが可能な情報処理装置、管理装置、情報処理システム及びプログラムを提供することである。
【課題を解決するための手段】
【０００５】
請求項１に係る本発明は、共通制御プログラムにより制御可能な機種の一覧情報である機種情報ファイルの取得指示を受け付ける受付手段と、前記受付手段により機種情報ファイルの取得指示が受け付けられた場合、自装置の識別情報を入力する入力手段と、前記入力手段により入力された識別情報に対応した機種情報ファイルを外部の管理装置から取得する取得手段と、を備えた情報処理装置である。
【０００６】
請求項２に係る本発明は、共通制御プログラムにおいて利用者に表示する機種一覧リストに含めるか否かの機種毎の選択を受け付ける受付手段と、前記受付手段により機種一覧リストに含める選択がされた機種が含まれた機種設定情報を利用者の識別情報毎に格納する格納手段と、前記格納手段に格納された機種設定情報を用いて機種情報ファイルを生成する生成手段と、を備えた管理装置である。
【０００７】
請求項３に係る本発明は、機種一覧リストに含めるか否かの機種毎の選択画面を表示するよう制御する表示制御手段をさらに備える請求項２記載の管理装置である。
【０００８】
請求項４に係る本発明は、前記表示制御手段は、前記受付手段により機種一覧リストに含めるか否かの機種毎の選択を受け付ける前は、保守期限切れの機種を機種一覧リストに含めない選択がされるよう選択画面の表示を制御する請求項３記載の管理装置である。
【０００９】
請求項５に係る本発明は、前記表示制御手段は、前記受付手段により機種一覧リストに含めるか否かの機種毎の選択を受け付ける前は、新規に追加された機種を機種一覧リストに含める選択がされるよう選択画面の表示を制御する請求項３記載の管理装置である。
【００１０】
請求項６に係る本発明は、共通制御プログラムにおいて利用者に表示する機種一覧リストに含めるか否かの機種毎の選択を受け付ける第１の受付手段と、前記第１の受付手段により機種一覧リストに含める選択がされた機種が含まれた機種情報ファイルを生成する生成手段と、前記生成手段により生成された機種情報ファイルを、利用者の識別情報毎に格納する格納手段と、を備えた管理装置と、機種情報ファイルの取得指示を受け付ける第２の受付手段と、前記第２の受付手段により機種情報ファイルの取得指示が受け付けられた場合、自装置の識別情報を入力する入力手段と、前記入力手段により入力された識別情報に対応した機種情報ファイルを前記管理装置から取得する取得手段と、を備えた情報処理装置と、を備えた情報処理システムである。
【００１１】
請求項７に係る本発明は、共通制御プログラムにより制御可能な機種の一覧情報である機種情報ファイルの取得指示を受け付ける受付ステップと、前記受付ステップにより機種情報ファイルの取得指示が受け付けられた場合、自装置の識別情報を入力する入力ステップと、前記入力ステップにより入力された識別情報に対応した機種情報ファイルを外部の管理装置から取得する取得ステップと、を有するコンピュータに実行させるためのプログラムである。
【発明の効果】
【００１２】
請求項１に係る本発明によれば、機種が異なる複数の装置を制御可能な共通制御プログラムの対応機種が変化した場合でも、共通プログラムの更新を不要にすることが可能な情報処理装置を提供することができる。
【００１３】
請求項２に係る本発明によれば、機種が異なる複数の装置を制御可能な共通制御プログラムの対応機種が変化した場合でも、情報処理装置における共通プログラムの更新を不要にすることが可能な管理装置を提供することができる。
【００１４】
請求項３に係る本発明によれば、機種が異なる複数の装置を制御可能な共通制御プログラムにおいて、利用者に情報処理装置に表示される機種一覧リストに含めるか否かの機種毎の選択をさせることが可能な管理装置を提供することができる。
【００１５】
請求項４に係る本発明によれば、機種が異なる複数の装置を制御可能な共通制御プログラムにおいて、保守期限切れの機種を機種一覧リストに表示しないようにすることが可能な管理装置を提供することができる。
【００１６】
請求項５に係る本発明によれば、機種が異なる複数の装置を制御可能な共通制御プログラムにおいて、新規に追加された機種を機種一覧リストに表示するようにすることが可能な管理装置を提供することができる。
【００１７】
請求項６に係る本発明によれば、機種が異なる複数の装置を制御可能な共通制御プログラムの対応機種が変化した場合でも、情報処理装置における共通プログラムの更新を不要にすることが可能な情報処理システムを提供することができる。
【００１８】
請求項７に係る本発明によれば、機種が異なる複数の装置を制御可能な共通制御プログラムの対応機種が変化した場合でも、共通プログラムの更新を不要にすることが可能なプログラムを提供することができる。
【図面の簡単な説明】
【００１９】
【図１】本発明の一実施形態の情報処理システムの構成を示すシステム図である。
【図２】本発明の一実施形態の端末装置１０のハードウェア構成を示すブロック図である。
【図３】本発明の一実施形態の端末装置１０の機能構成を示す図である。
【図４】本発明の一実施形態の端末装置１０の記憶部３３に記憶される機種情報ファイル５２の一例を示す図である。
【図５】本発明の一実施形態のサーバ１２の機能構成を示す図である。
【図６】本発明の一実施形態の端末装置１０の表示部３４の表示画面の一例を示す図である。
【図７】本発明の一実施形態のサーバ１２の記憶部７２に記憶されるアカウント情報５４の一例を示す図である。
【図８】本発明の一実施形態の端末装置１０の表示部３４の表示画面の一例を示す図ある。
【図９】（Ａ）及び（Ｂ）は、本発明の一実施形態の端末装置１０の表示部３４の表示画面の一例を示す図ある。
【図１０】本発明の一実施形態の情報処理システムの動作の一例を説明するための図である。
【図１１】本発明の一実施形態の情報処理システムの動作の一例を説明するための図である。
【図１２】本発明の一実施形態の端末装置１０の表示部３４の表示画面の一例を示す図である。
【図１３】本発明の一実施形態の端末装置１０の表示部３４の表示画面の一例を示す図である。
【図１４】本発明の一実施形態の端末装置１０の表示部３４の表示画面の一例を示す図である。
【発明を実施するための形態】
【００２０】
次に、本発明の実施の形態について図面を参照して詳細に説明する。
【００２１】
図１は、本発明の一実施形態の情報処理システムの構成を示す図である。
【００２２】
本発明の一実施形態の情報処理システムは、図１に示されるように、情報処理装置であるパーソナルコンピュータ等の端末装置１０、画像形成装置である複合機等のプリンタ２，３，４および管理装置であるサーバ１２により構成される。
【００２３】
端末装置１０と、サーバ１２とは、インターネット１１により相互に接続され情報の送受信を行っている。
【００２４】
また、端末装置１０と、プリンタ２，３，４とは、それぞれＬＡＮ（Ｌｏｃａｌ  Ａｒｅａ  Ｎｅｔｗｏｒｋ）１により相互に接続され情報の送受信を行っている。
【００２５】
端末装置１０は、印刷ジョブを生成して、ＬＡＮ１経由にて生成した印刷ジョブをプリンタ２，３或いはプリンタ４のいずれかに対して送信する。端末装置１０から印刷ジョブを受け付けたプリンタ２，３或いはプリンタ４は、印刷ジョブに応じた画像を用紙上に出力する。
【００２６】
ここで、ＬＡＮ１に接続されているプリンタ２，３，４は、それぞれ機種が異なり、異なる製造業者により製造された装置である、いわゆるマルチベンダの装置である。
【００２７】
端末装置１０には、機種が異なる複数のプリンタに対して共通して制御可能な共通ドライバがインストールされている。端末装置１０は、この共通ドライバにより共通制御プログラムを実行して、複数機種のプリンタを制御することが可能となっている。
【００２８】
ここで、共通制御プログラムとは、機種が異なる複数の装置を制御可能なソフトウェアである。つまり、端末装置１０に共通ドライバをインストールしたりアップデートすることで、複数機種のプリンタを制御することが可能となり、機種毎のプリンタドライバをインストールしたりアップデートする必要がなくなる。
【００２９】
サーバ１２は、共通ドライバを備えるＷｅｂサーバ等のサーバである。つまり、利用者であるユーザは、端末装置１０によりインターネット１１を介してサーバ１２にアクセスして共通ドライバをインストールしたりアップデートしたり利用することが可能な構成となっている。
【００３０】
次に、本実施形態の情報処理システムにおける端末装置１０のハードウェア構成を図２に示す。
【００３１】
端末装置１０は、図２に示されるように、ＣＰＵ２０と、一時的にデータを保存可能なメモリ２１と、ハードディスクドライブ（ＨＤＤ）等の記憶装置２２と、タッチパネル又は液晶ディスプレイ並びにキーボードを含むユーザインタフェース（ＵＩ）装置２３と、ＬＡＮ１やインターネット１１等のネットワークを介して外部の装置等との間でデータの送信及び受信を行う通信ＩＦ２４とを備えている。これらの構成要素は、制御バス２５を介して互いに接続されている。
【００３２】
ＣＰＵ２０は、メモリ２１または記憶装置２２に格納された共通制御プログラムに基づいて所定の処理を実行して、端末装置１０の動作を制御する。なお、本実施形態では、ＣＰＵ２０は、メモリ２１または記憶装置２２内に格納された共通制御プログラムを読み出して実行するものとして説明したが、当該プログラムをＣＤ−ＲＯＭ等の記憶媒体に格納してＣＰＵ２０に提供することも可能である。
【００３３】
図３は、上記の共通制御プログラムが実行されることにより実現される端末装置１０の機能構成を示すブロック図である。
【００３４】
本実施形態の端末装置１０は、図３に示されるように、制御部３０と、第１のデータ通信部３１と、第２のデータ通信部３２と、記憶部３３と、表示部３４とを備えている。
【００３５】
第１のデータ通信部３１は、インターネット１１を介してサーバ１２との間でデータを送受信する。
【００３６】
第２のデータ通信部３２は、ＬＡＮ１を介してプリンタ２，３，４との間でデータを送受信する。
【００３７】
表示部３４は、表示画面上でプリンタ２，３，４やサーバ１２に対して操作するための操作画面を表示する。また、表示部３４は、表示画面上でプリンタ２，３，４やサーバ１２に対する操作を受け付ける。
【００３８】
記憶部３３は、共通制御プログラム５１及び機種情報ファイル５２等を記憶する。なお、機種情報ファイル５２は、例えばレジストリを保存先として保存されて記憶される。
【００３９】
端末装置１０は、記憶部３３に記憶されている共通制御プログラム５１を制御部３０において実行することにより、受付部４２、機種情報管理部４３、表示制御部４４等として機能する。
【００４０】
共通制御プログラム５１は、制御部３０を、受付部４２、機種情報管理部４３、表示制御部４４等として動作させるプログラムである。
【００４１】
機種情報ファイル５２は、共通ドライバのファイルの一部として、共通ドライバのインストール時やアップデート時に、共通制御プログラムのデータと共にサーバ１２から取得されて記憶部３３に記憶される。また、後述するカスタマイズされた機種情報ファイル５２が、サーバ１２から取得されて記憶部３３に記憶される。
【００４２】
ここで、カスタマイズされた機種情報ファイル５２とは、共通制御プログラム５１により制御可能な機種のうち端末装置１０において使用したい機種を後述する機種一覧リスト６１に含まれるように設定し、端末装置１０において使用しない機種を機種一覧リスト６１に含まれないように設定された情報である。
【００４３】
機種情報ファイル５２には、例えば図４に示されるように、プリンタの機種名に関する機種情報５５と、機種名毎に給紙トレイに関する情報、排紙トレイに関する情報、ＨＤＤに関する情報、排紙先に関する情報、ステープル機能に関する情報等の設定項目を示すオプション情報５７等が含まれている。
【００４４】
受付部４２は、カスタマイズされた機種情報ファイル５２の取得指示を受け付ける。そして、受付部４２によりカスタマイズされた機種情報ファイル５２の取得指示が受け付けられた場合、表示制御部４４は、ユーザの識別情報であるユーザＩＤとパスワードを入力させるための入力画面を表示部３４に表示するように制御する。このとき、表示部３４は、識別情報であるユーザＩＤとパスワードを入力するための入力手段として機能する。
【００４５】
機種情報管理部４３は、サーバ１２から共通制御プログラム５１の更新データと共に機種情報ファイル５２を取得し、記憶部３３に記憶する。また、機種情報管理部４３は、受付部４２によりカスタマイズされた機種情報ファイル５２の取得指示を受け付け、ユーザＩＤとパスワードが入力されると、サーバ１２からカスタマイズして生成された機種情報ファイル５２を取得し、記憶部３３に記憶する。
【００４６】
表示制御部４４は、記憶部３３に記憶されている機種情報ファイル５２に基づいてプリンタのプロパティ画面において機種一覧リスト６１と機種名毎に設定される設定項目リスト６２を表示部３４に表示するように制御する。つまり、表示制御部４４は、共通制御プログラムと共に取得した機種情報ファイル５２又はカスタマイズして生成された機種情報ファイル５２に基づいて、機種一覧リスト６１と機種名毎に設定された設定項目リスト６２を表示するように制御する。
【００４７】
図５は、サーバ１２の機能構成を示すブロック図である。
【００４８】
本実施形態のサーバ１２は、図５に示されるように、制御部７０と、データ通信部７１と、記憶部７２とを備えている。
【００４９】
データ通信部７１は、インターネット１１を介して端末装置１０等との間でデータを送受信する。
【００５０】
記憶部７２は、共通制御プログラム５１、機種情報ファイル５２、アカウント情報５４等を記憶する。
【００５１】
サーバ１２は、記憶部７２に記憶されている共通制御プログラム５１を制御部７０において実行することにより、受付部８１、機種情報ファイル生成部８２、表示制御部８３等として機能する。
【００５２】
共通制御プログラム５１は、制御部７０を、受付部８１、機種情報ファイル生成部８２、表示制御部８３等として動作させるプログラムである。
【００５３】
表示制御部８３は、端末装置１０の表示部３４に、共通ドライバを備えるサーバ１２にアカウントを取得するためのアカウント取得画面を表示するよう制御する。また、表示制御部８３は、端末装置１０の表示部３４に、サーバ１２にアクセスさせるためのログイン画面を例えばブラウザによって表示するように制御する。
【００５４】
また、表示制御部８３は、共通ドライバを備えるサーバ１２にアカウントが取得されて、ログイン画面において、ユーザＩＤとパスワードが入力されてサーバ１２にログインされると、機種情報ファイル５２をカスタマイズするための機種選択画面を表示するように制御する。つまり、端末装置１０に表示するプリンタのプロパティ画面において機種一覧リスト６１に含めるか否かを機種毎にユーザに選択させるための選択画面を表示するよう制御する。
【００５５】
具体的には、例えば図６に示すような共通ドライバが対応している機種の一覧が端末装置１０の表示画面に表示される。図６において、保守期限が切れている機種は無効、保守期限が切れていない機種は有効が選択されている。
【００５６】
受付部８１は、共通制御プログラム５１において端末装置１０に表示する機種一覧リスト６１に含めるか否かの機種毎の選択を受け付ける。
【００５７】
また、表示制御部８３は、受付部８１により機種一覧リスト６１に含めるか否かの機種毎の選択を受け付ける前は、保守期限切れの機種を機種一覧リスト６１に含めない選択がされるよう端末装置１０の選択画面の表示を制御する。また、表示制御部８３は、受付部８１により機種一覧リスト６１に含めるか否かの機種毎の選択を受け付ける前は、新規に追加された機種を機種一覧リスト６１に含める選択がされるよう選択画面の表示を制御する。
【００５８】
そして、受付部８１により共通制御プログラム５１において端末装置１０に表示する機種一覧リスト６１に含めるか否かの機種毎の選択を受け付けると、受付部８１により機種一覧リスト６１に含める選択がされた機種が含まれた機種設定情報５３は、ログイン画面において入力されたユーザＩＤとパスワードに対応付けて記憶部７２に記憶される。具体的には、図６に示すような機種毎の選択がされた表示画面において、設定ボタン５８が押下されると、図７に示すように、アカウント情報５４として、受付部８１により機種毎の選択が受け付けられた情報が機種設定情報５３としてユーザＩＤ、パスワードに対応づけられて記憶部７２に記憶される。
【００５９】
機種情報ファイル生成部８２は、記憶部７２に記憶された機種設定情報５３を用いて機種情報ファイル５２を生成する。つまり、機種情報ファイル生成部８２は、端末装置１０によりサーバ１２にログインされると、アカウント情報５４を参照し、ログインされた際のユーザＩＤとパスワードに対応する機種設定情報５３を用いて機種情報ファイル５２を生成する。すなわち、機種情報ファイル生成部８２は、受付部８１により機種一覧リスト６１に含める選択がされた機種が含まれた機種設定情報５３を用いてカスタマイズされた機種情報ファイル５２を生成する。
【００６０】
次に、共通ドライバを展開して共通制御プログラム５１を実行する際の表示画面例について、図８、図９（Ａ）及び図９（Ｂ）に基づいて詳述する。
【００６１】
共通制御プログラム５１が実行されると、プロパティ画面では、共通ドライバにおいて利用する機種名を選択する機種一覧リスト６１と、各機種名における設定可能な項目を表示する設定項目リスト６２が表示される。ユーザは、機種一覧リスト６１において機種共通モード又は機種選択モードのいずれかの機種モードを選択することができる。
【００６２】
機種共通モードは、全ての機種に対して共通して設定項目を設定する機能モードである。また、機種選択モードは、使用する機種名を選択して機種名毎に設定項目を設定する機能モードである。
【００６３】
例えば図８に示されているように、機種一覧リスト６１において「機種共通」が選択されると、機種共通モードに切り替わって、異なる機種であっても共通して設定される設定項目が設定項目リスト６２に表示される。
【００６４】
また、図９（Ａ）及び図９（Ｂ）に示されているように、機種一覧リスト６１において「機種名」が選択されると、機種選択モードに切り替わって、選択された機種名に対応する設定項目が設定項目リスト６２に表示される。
【００６５】
機種一覧リスト６１及び設定項目リスト６２には、記憶部３３に記憶された機種情報ファイル５２に基づいて共通ドライバにより制御可能な機種名及び機種名毎の設定項目が表示される。
【００６６】
次に、本実施形態における情報処理システムにおける動作の一例について説明する。
【００６７】
まず、端末装置１０が、共通ドライバを備えるサーバ１２にユーザのアカウント情報５４を登録する動作について図１０に基づいて説明する。
【００６８】
ステップＳ１０において、端末装置１０によりインターネット１１を介してサーバ１２にアクセスされ、サーバ１２にアカウント情報５４を登録するためのログインアカウントが取得される。具体的には、ユーザは、端末装置１０の表示部３４に表示されるアカウント取得画面においてログインアカウントを取得する。
【００６９】
次に、ステップＳ１１において、サーバ１２に、ユーザのログインアカウントが登録される。
【００７０】
ステップＳ１２において、サーバ１２により、端末装置１０にログイン画面が表示されるように制御される。
【００７１】
そして、ステップＳ１３において、端末装置１０により、ログイン画面において、取得したログインアカウントを用いて、サーバ１２にアクセスされる。
【００７２】
すると、ステップＳ１４において、機種設定情報５３を記憶部７２に記憶させるための機種選択画面が端末装置１０の表示画面に表示される。具体的には、図６に示すような選択画面が表示される。図６の初期画面においては、機種の保守期限が切れている機種は無効、機種の保守期限が切れていない機種は有効が選択されている。有効、無効の選択は、端末装置１０において変更可能である。つまり、ユーザは、端末装置１０において、使用し続けたいプリンタの機種であって共通ドライバの機種一覧リスト６１に表示させたい機種は有効、使用しないプリンタの機種であって機種一覧リスト６１に表示させたくない機種は無効に選択して設定することができる。
【００７３】
そして、ステップＳ１５において、端末装置１０において、機種毎の有効、無効の選択がされて、設定ボタン５８が押下されると、ステップＳ１６において、選択された機種に関する機種設定情報５３がユーザＩＤとパスワードに対応づけられてアカウント情報５４としてサーバ１２の記憶部７２に記憶される。
【００７４】
次に、端末装置１０が、カスタマイズした機種情報ファイル５２を取得する動作について図１１に基づいて説明する。
【００７５】
ステップＳ２０において、例えば図１２に示すような端末装置１０の共通ドライバのプリンタプロパティの表示画面において、共通ドライバの機種情報取得ボタン６３が押下されると、ステップＳ２１において、端末装置１０の表示部３４に図１３に示すようなログイン画面が表示される。
【００７６】
次に、ステップＳ２２において、端末装置１０のログイン画面において、ユーザＩＤ、パスワードが入力されてログインボタンが押下されると、サーバ１２に接続され、カスタマイズされた機種情報ファイル５２の取得が要求される。
【００７７】
すると、ステップＳ２３において、機種情報ファイル生成部８２により、記憶部７２のアカウント情報５４からログインされたユーザＩＤとパスワードに対応づけて記憶された機種設定情報５３に基づいて機種情報ファイル５２が生成される。
【００７８】
そして、ステップＳ２４において、カスタマイズして生成された機種情報ファイル５２が端末装置１０へ送信される。
【００７９】
そして、ステップＳ２５において、端末装置１０において、カスタマイズして生成された機種情報ファイル５２が記憶部３３に記憶される。
【００８０】
つまり、端末装置１０において、共通ドライバを実行し、カスタマイズして生成された機種情報ファイル５２に基づいて、図１４に示すようなプリンタプロパティの表示画面において、カスタマイズされた機種一覧リスト６１を表示させることが可能となる。すなわち、端末装置１０で使用する機種を機種一覧リスト６１に表示させ、端末装置１０で使用しない機種を機種一覧リスト６１に表示しないようにすることができる。
【００８１】
つまり、共通ドライバをアップデートするたびに更新される機種情報ファイル５２に基づく機種一覧リスト６１だけでなく、カスタマイズして生成された機種情報ファイル５２に基づく機種一覧リスト６１を表示するようにすることができる。
【００８２】
また、保守が終了した機種がある場合には、共通ドライバをアップデートしなくてもサーバ１２から最新の機種情報ファイル５２を取得すれば、機種一覧リスト６１から削除される。
【００８３】
また、保守が終了した機種であるが使用し続けたい場合には、サーバ１２においてカスタマイズした機種情報ファイル５２を使用するより、機種一覧リスト６１から削除されずに使用し続けることが可能となり、保守が終了した機種を共通ドライバを用いて制御することが可能となる。
【００８４】
また、共通ドライバにおいて共通制御プログラムがアップデートされ、新しい機種が追加されても、サーバ１２において機種情報ファイル５２をカスタマイズして新しい機種を追加して生成することにより、共通ドライバをアップデートする必要はなくなる。
【００８５】
なお、本実施形態においては、機種が異なる複数の装置の一例としてプリンタ２，３，４を用いる構成について説明したが、本発明はこれに限定されるものではなく、共通ドライバを用いて他の電子機器を制御する場合にも適用される。
【００８６】
また、本実施形態においては、情報処理装置の一例として端末装置１０を用いる構成について説明したが、本発明はこれに限定されるものではなく、他の情報処理装置を用いる場合にも適用される。
【符号の説明】
【００８７】
１    ＬＡＮ
２，３，４    プリンタ
１０    端末装置
１１    インターネット
１２    サーバ
３０    制御部
３１    第１のデータ通信部
３２    第２のデータ通信部
３３    記憶部
３４    表示部
【図１】
2020144571.tif 000003
【図２】
2020144571.tif 000004
【図３】
2020144571.tif 000005
【図４】
2020144571.tif 000006
【図５】
2020144571.tif 000007
【図６】
2020144571.tif 000008
【図７】
2020144571.tif 000009
【図８】
2020144571.tif 000010
【図９】
2020144571.tif 000011
【図１０】
2020144571.tif 000012
【図１１】
2020144571.tif 000013
【図１２】
2020144571.tif 000014
【図１３】
2020144571.tif 000015
【図１４】
2020144571.tif 000016